(57)【要約】【課題】明滅が著しい明滅部分の存在を放送される高ダイナミックレンジ映像を視聴する前にユーザに告知または警告する。【解決手段】付随情報処理部は放送される標準よりも広範囲の輝度を有する高ダイナミックレンジ映像の明滅に関する輝度情報を、高ダイナミックレンジ映像に付随した付随情報に基づいて取得し、通知情報処理部は輝度情報に基づいて、高ダイナミックレンジ映像に所定の明滅度よりも明滅度が著しい明滅部分が含まれると判定するとき、明滅部分の存在を示す通知情報を出力し、輝度情報は、高ダイナミックレンジ映像において所定の単位時間当たりの前記輝度の代表値がフレーム間で所定量以上変化した回数と、単位時間当たりの前記輝度の代表値のフレーム間の差分との少なくとも一方を含み、通知情報処理部は、所定の回数よりも大きい、または所定の差分よりも大きいとき明滅部分が含まれると判定する。【選択図】図３
2018042269.tif 000002
【特許請求の範囲】
【請求項１】
放送される標準よりも広範囲の輝度を有する高ダイナミックレンジ映像の明滅に関する輝度情報を、前記高ダイナミックレンジ映像に付随した付随情報に基づいて取得する付随情報処理部と、
前記輝度情報に基づいて、前記高ダイナミックレンジ映像に所定の明滅度よりも明滅度が著しい明滅部分が含まれると判定するとき、前記明滅部分の存在を示す通知情報を出力する通知情報処理部と、を備え、
前記輝度情報は、前記高ダイナミックレンジ映像において所定の単位時間当たりの前記輝度の代表値がフレーム間で所定量以上変化した回数と、前記単位時間当たりの前記輝度の代表値のフレーム間の差分との少なくとも一方を含み、
前記通知情報処理部は、前記回数が所定の回数よりも大きい、または前記差分が所定の差分よりも大きいとき前記明滅部分が含まれると判定し
設定メニュー画面を表示部に表示させ、ユーザの操作に応じて前記所定の回数又は前記所定の差分を設定する
受信装置。
【発明の詳細な説明】
【技術分野】
【０００１】
本発明は、受信装置に関する。
【背景技術】
【０００２】
テレビジョン放送の高度化の一環として、ＨＤＲ（Ｈｉｇｈ  Ｄｙｎａｍｉｃ  Ｒａｎｇｅ；ハイダイナミックレンジ、高ダイナミックレンジ、広帯域ダイナミックレンジとも呼ばれる）映像がある。ＨＤＲ映像は、従来よりも高輝度で表示され、映像品位の向上を図るものである。他方、ユーザが映像の輝度が短時間で急激に繰り返すシーンを視認すると、ユーザの体調に不調を来たすことが知られている。
【０００３】
特許文献１には、表示される映像信号の中で大幅な輝度の変化が繰り返し表れる部分の輝度点滅の繰り返し周波数と、この輝度点滅部分の最大輝度を検出し、輝度点滅の繰り返し周波数が所定の周波数範囲に入っており、かつ最大輝度が所定の輝度レベルを超えていることを制御装置で判定した場合に映像信号の輝度を抑制して表示させる輝度抑制装置について記載されている。
特許文献２には、映像において所定時間当たりの輝度の変化量が所定値よりも大きいシーンが存在する場合、発光部を発光させる表示装置について記載されている。
【先行技術文献】
【特許文献】
【０００４】
【特許文献１】特開平１１−２３４５８３号公報
【特許文献２】特開２０１４−６４２２９号公報
【発明の概要】
【発明が解決しようとする課題】
【０００５】
ＨＤＲ映像の最大輝度は、通常の輝度範囲を有する映像（ＳＤＲ：Ｓｔａｎｄａｒｄ  Ｄｙｎａｍｉｃ  Ｒａｎｇｅ）映像の最大輝度よりも高いので、映像の輝度が短時間で急激な変化を繰り返すシーンでは、その輝度の変化量も大きくなる。そのため、体調の不調を来すおそれがさらに強まる。番組の視聴開始時または該当シーン以前において、その可能性があることをユーザに告知または警告することが求められていた。
【課題を解決するための手段】
【０００６】
本発明は上記の課題を解決するためになされたものであり、本発明の一態様は、放送される標準よりも広範囲の輝度を有する高ダイナミックレンジ映像の明滅に関する輝度情報を、前記高ダイナミックレンジ映像に付随した付随情報に基づいて取得する付随情報処理部と、前記輝度情報に基づいて、前記高ダイナミックレンジ映像に所定の明滅度よりも明滅度が著しい明滅部分が含まれると判定するとき、前記明滅部分の存在を示す通知情報を出力する通知情報処理部と、を備え、前記輝度情報は、前記高ダイナミックレンジ映像において所定の単位時間当たりの前記輝度の代表値がフレーム間で所定量以上変化した回数と、前記単位時間当たりの前記輝度の代表値のフレーム間の差分との少なくとも一方を含み、前記通知情報処理部は、前記回数が所定の回数よりも大きい、または前記差分が所定の差分よりも大きいとき前記明滅部分が含まれると判定し設定メニュー画面を表示部に表示させ、ユーザの操作に応じて前記所定の回数又は前記所定の差分を設定する受信装置である。
【発明の効果】
【０００７】
本発明の実施形態によれば、明滅が著しい明滅部分の存在を放送される高ダイナミックレンジ映像を視聴する前にユーザに告知または警告することができる。
【図面の簡単な説明】
【０００８】
【図１】第１の実施形態に係る放送システムの構成を示す概略ブロック図である。
【図２】第１の実施形態に係る送信装置の構成を示す概略ブロック図である。
【図３】第１の実施形態に係る受信装置の構成を示す概略ブロック図である。
【図４】第１の実施形態に係るＭＰＴのデータ構造の一例を示す図である。
【図５】第１の実施形態に係る明滅情報の一例を示す図である。
【図６】第１の実施形態に係る輝度変化情報の一例を示す図である。
【図７】第１の実施形態に係る最大輝度情報の一例を示す図である。
【図８】第１の実施形態に係る輝度情報に基づく処理の一例を示す図である。
【図９】第１の実施形態に係る輝度情報に基づく処理の他の例を示す図である。
【図１０】第１の実施形態に係る輝度情報に基づく処理のさらに他の例を示す図である。
【図１１】第１の実施形態の一変形例に係る付随情報のデータ構成の一例を示す図である。
【図１２】第１の実施形態の一変形例に係る輝度情報が格納されるデータ領域の一例を示す図である。
【図１３】第１の実施形態の一変形例に係る明滅情報が格納されるデータ領域の一例を示す図である。
【図１４】第１の実施形態の一変形例に係る代表輝度情報が格納されるデータ領域の一例を示す図である。
【図１５】第２の実施形態に係る放送システムの構成を示す概略ブロック図である。
【図１６】第２の実施形態に係る受信装置の構成を示す概略ブロック図である。
【図１７】第２の実施形態に係るアプリケーション制御の例を示す図である。
【図１８】第２の実施形態に係るアプリケーションの一実行例を示す図である。
【発明を実施するための形態】
【０００９】
以下、本発明の実施形態について、図面を参照して説明する。
［第１の実施形態］
まず、本発明の第１の実施形態に係る放送システム１の概要について説明する。
図１は、本実施形態に係る放送システム１の構成を示す概略ブロック図である。
放送システム１は、送信装置１０と受信装置２０とを含んで構成される。
送信装置１０は、放送される番組のコンテンツを表す番組データを、放送伝送路ＢＴを介して受信装置に送信する。コンテンツには、映像と音声が含まれる。以下の説明ではコンテンツとは、番組もしくは当該番組で提供される映像を意味することがある。放送伝送路ＢＴは、番組データを不特定多数の受信装置２０に一方的かつ一斉に送信する伝送路である。放送伝送路ＢＴは、例えば、所定の周波数帯域を有する放送波である。放送伝送路ＢＴは、放送波を中継する放送衛星ＢＳを含んで構成されてもよい。放送伝送路ＢＴには、その一部にネットワーク、例えば、専用回線、ＶＰＮ（Ｖｉｒｔｕａｌ  Ｐｒｉｖａｔｅ  Ｎｅｔｗｏｒｋ）が含まれてもよい。受信装置２０は、放送伝送路ＢＴを介して伝送された番組データを受信する。受信装置２０は、受信した番組データに基づく映像を表示する。受信装置２０は、例えば、テレビジョン受信装置、セットトップボックスなど、番組データを受信し、受信した番組データに係る映像を表示部に表示することができる電子機器である。図１に示す送信装置１０、受信装置２０の数は、それぞれ１個であるが、一般には複数である。また、放送システム１がメディアトランスポート方式としてＭＭＴ（ＭＰＥＧ  Ｍｅｄｉａ  Ｔｒａｎｓｐｏｒｔ）方式を用いる場合を例にする。
【００１０】
放送システム１は、輝度のダイナミックレンジが、個々に異なる番組を放送することができる。言い換えれば、放送システム１において、ＨＤＲ放送番組とＳＤＲ放送番組が放送される。ＨＤＲ放送番組は、輝度範囲がＨＤＲであるＨＤＲ映像を含む番組である。ＳＤＲ放送番組は、輝度範囲がＳＤＲであるＳＤＲ映像を含む番組である。ＨＤＲ映像を表す映像データ、ＳＤＲ映像を表す映像データを、それぞれＨＤＲ映像データ、ＳＤＲ映像データと呼ぶ。
【００１１】
（映像の輝度）
映像の輝度には、光学輝度と画像輝度との２種類がある。光学輝度とは、光源の明るさを表す物理量の１つである。光学輝度は、例えば、ディスプレイから発光される映像の明るさを表すときに用いられる。本実施形態では、一例として、０〜１００００ｃｄ／ｍ２の輝度範囲をＨＤＲと称し、０〜１００ｃｄ／ｍ２の輝度範囲をＳＤＲと称する。つまり、ＨＤＲは、ＳＤＲによりも広い光学輝度のダイナミックレンジを有する。なお、ＨＤＲ、ＳＤＲの輝度範囲は上述したものに限定されず、例えば、放送システムに応じて任意に定められてよい。以下では、光学輝度のダイナミックレンジを単にダイナミックレンジと呼ぶことがある。画像輝度とは、映像の明るさを表す信号レベルまたはその相対値を意味する。以下の説明では、光学輝度、画像輝度を、それぞれ輝度、輝度値と呼ぶことがある。
【００１２】
放送システム１は、ＨＤＲ映像データまたはＳＤＲ映像データを含む番組データを伝送する。ＨＤＲ映像データは、例えば、ＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ）ＳＴ．２０８４−２０１４、ＣＴＡ（Ｃｏｎｓｕｍｅｒ  Ｔｅｃｈｎｏｌｏｇｙ  Ａｓｓｏｃｉａｔｉｏｎ）−８６１−Ｆ、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ；一般社団法人  電波産業会）ＳＴＤ−Ｂ６７などにより規定される映像フォーマットで構成される。以下の説明では、ＨＤＲ映像データのデータ形式をＨＤＲ形式と呼ぶ。ＨＤＲ映像データでは、ＨＤＲの輝度範囲内の輝度が輝度値と対応付けられる。画素毎の輝度値が１０ビットで表されるとき、例えば、６４〜９４０の輝度値が０〜１００００ｃｄ／ｍ２の輝度に対応する。
【００１３】
ＳＤＲ映像データは、例えば、Ｒｅｃ．ＩＴＵ−Ｒ  ＢＴ．７０９により規定される映像フォーマットで構成される。以下の説明では、ＳＤＲ映像データのデータ形式をＳＤＲ形式と呼ぶ。ＳＤＲ映像データでは、ＳＤＲの輝度範囲内の輝度が輝度値と対応付けられる。ＳＤＲ映像データでは、画素毎の輝度値を表すためのビット数はＨＤＲ映像データよりも少ない。例えば、画素毎の輝度値が８ビットで表されるとき、１６〜２４０の輝度値が０〜１００ｃｄ／ｍ２の輝度に対応する。輝度値の最小値（例えば、１０ビットで表されるとき６４）、最大値（例えば、１０ビットで表されるとき９４０）は、基準黒レベル、基準白レベルとも呼ばれる。
【００１４】
（送信装置の構成）
次に、本実施形態に係る送信装置１０の構成について説明する。
図２は、本実施形態に係る送信装置１０の構成を示す概略ブロック図である。
送信装置１０は、番組データと当該番組データに付随する付随情報とを多重化した多重化データを放送伝送路ＢＴに送信する。送信装置１０は、付随情報取得部１１０、映像符号化部１２０、音声符号化部１３０、多重化部１４０、誤り訂正符号化部１５０、変調部１６０および送信部１７０を含んで構成される。
【００１５】
付随情報取得部１１０は、番組データに付随する付随情報を取得する。付随情報には、番組の構成要素の種別が含まれ得る。構成要素が映像である場合、付随情報にその映像の輝度範囲や、輝度の明滅に関する輝度情報が含まれうる。付随情報取得部１１０は、他の機器から入力される映像データが示す映像を解析して輝度情報を生成してもよいし、当該映像データに対応する輝度情報を入力してもよい。番組データの多重化伝送方式としてＭＭＴ（ＭＰＥＧ  Ｍｅｄｉａ  Ｔｒａｎｓｐｏｒｔ）方式が用いられる場合、例えば、付随情報のデータ形式としてＭＭＴ−ＳＩ（Ｓｅｒｖｉｃｅ  Ｉｎｆｏｒｍａｔｉｏｎ）が用いられる。輝度情報は、ＭＭＴ−ＳＩの構成要素であるＭＰＴ（ＭＭＴ  Ｐａｃｋａｇｅ  Ｔａｂｌｅ；ＭＭＴパッケージテーブル）に記述される。映像データが、ＣＴＡ−８６１−Ｆにより規定されるＨＤＲ信号である場合には、輝度情報は情報フレーム（ＩｎｆｏＦｒａｍｅ）に記述されてもよい。輝度情報には、輝度の明滅度が所定の明滅度より著しい明滅部分の有無を示す情報としてフラッシュシーンフラグ（ｆｌａｓｈ＿ｓｃｅｎｅ）、輝度の明滅度を示す情報としてフラッシュシーンレベル（ｆｌａｓｈ＿ｓｃｅｎｅ＿ｌｅｖｅｌ）などがある。輝度情報の例については、後述する。付随情報取得部１１０は、取得した付随情報を多重化部１４０に出力する。
【００１６】
映像符号化部１２０は、他の機器から入力される映像データを所定の符号化方式（例えば、ＩＳＯ／ＩＥＣ  ２３００８−２  ＨＥＶＣ：Ｈｉｇｈ  Ｅｆｆｉｃｉｅｎｃｙ  Ｖｉｄｅｏ  Ｃｏｄｉｎｇ）を用いて符号化する。映像符号化部１２０は、符号化によって得られた符号化データを含んだ映像データを生成する。映像符号化部１２０は、生成した映像データを多重化部１４０に出力する。
【００１７】
音声符号化部１３０は、入力される音声データを所定の符号化方式（例えば、ＩＳＯ／ＩＥＣ  １４４９６−３  ＭＰＥＧ−４  ＡＵＤＩＯ）を用いて符号化する。音声符号化部１３０は、符号化によって得られた音声符号化データを含んだ音声データを多重化部１４０に出力する。
【００１８】
多重化部１４０には、付随情報取得部１１０から入力される付随情報、映像符号化部１２０から入力される映像データおよび音声符号化部１３０から入力される音声データを多重化して所定の形式（例えば、ＭＭＴ形式）を有する多重化データを生成する。多重化部１４０は、生成した多重化データを誤り訂正符号化部１５０に出力する。なお、多重化部１４０には、他の機器から映像データと音声データのいずれかまたは両方が入力されてもよい。他の機器からの映像データの形式が映像符号化部１２０からの映像データの形式と同様であれば、映像符号化部１２０は省略されてもよい。他の機器からの音声データの形式が音声符号化部１３０からの音声データの形式と同様であれば、音声符号化部１３０は省略されてもよい。
【００１９】
誤り訂正符号化部１５０は、多重化部１４０から入力される多重化データについて、所定の誤り訂正符号化方式を用いて誤り訂正符号化して所定の誤り訂正符号（例えば、ＬＤＰＣ：ｌｏｗ−ｄｅｎｓｉｔｙ  ｐａｒｉｔｙ−ｃｈｅｃｋ  ｃｏｄｅ）を生成する。誤り訂正符号化部１５０は、誤り訂正符号化により得られた誤り訂正符号を付加した多重化データを変調部１６０に出力する。
【００２０】
変調部１６０は、誤り訂正符号化部１５０から入力された多重化データを所定の変調方式（例えば、１６値振幅位相変調方式（１６ＡＰＳＫ：１６−ａｒｙ  ａｍｐｌｉｔｕｄｅ  ａｎｄ  ｐｈａｓｅ−ｓｈｉｆｔ  ｋｅｙｉｎｇ））を用いて変調する。変調部１６０は、変調により得られた変調データを送信部１７０に出力する。
送信部１７０は、変調部１６０から入力された基底周波数帯域の変調データを変調して所定の周波数帯域を有する放送信号を生成する。送信部１７０は、生成した放送信号を放送伝送路ＢＴに送出する。放送信号は、放送波として伝送される。よって、番組データと付随情報を多重化した多重化データを搬送する放送信号が放送伝送路ＢＴを介して伝送される。送信部１７０は、例えば、送信器を含んで構成される。
【００２１】
（受信装置の構成）
次に、本実施形態に係る受信装置２０の構成について説明する。
図３は、本実施形態に係る受信装置２０の構成を示す概略ブロック図である。
受信装置２０は、放送受信部２１０、復調部２１１、誤り訂正部２１２、分離部２１３、入力部２１５、映像復号部２２１、映像処理部２２２、ディスプレイ制御部２２３、音声復号部２３１、音声処理部２３２、アンプ２３３、制御部２４０、記憶部２５０、表示部２２および拡声部２３を含んで構成される。表示部２２および拡声部２３の一方または両方は、受信装置２０の本体と着脱可能であってもよい。
【００２２】
放送受信部２１０には、制御部２４０の選局部２４１（後述）から選局信号が入力される。放送受信部２１０は、選局信号で指示されるチャンネルで伝送される放送信号を受信する。放送受信部２１０は、放送波を受信するチューナを含んで構成される。チューナは、選局信号で指定されたチャンネルに対応した周波数帯域の放送波を受信する。放送受信部２１０は、受信した放送信号をダウンコンバートして基底周波数帯域の変調データを生成し、生成した変調データを復調部２１１に出力する。
【００２３】
復調部２１１は、放送受信部２１０から入力される変調データを所定の復調方式を用いて復調する。所定の変調方式は、変調部１６０が用いた変調方式に対応する復調方式である。復調部２１１は、復号により得られた誤り訂正符号が付加された多重化データを誤り訂正部２１２に出力する。
【００２４】
誤り訂正部２１２は、復調部２１１から入力される多重化データから誤り訂正符号を分離する。誤り訂正部２１２は、分離した誤り訂正符号を用いて多重化データについて誤り訂正を行う。誤り訂正部２１２は、誤り訂正を行って得られた多重化データを分離部２１３に出力する。
【００２５】
分離部２１３は、誤り訂正部２１２から入力された多重化データから番組データと付随情報とを分離する。分離部２１３は、分離した番組データから映像データと音声データとを分離する。分離部２１３は、分離した映像データを映像復号部２２１に出力し、分離した音声データを音声復号部２３１に出力する。分離部２１３は、分離した付随情報を制御部２４０の付随情報処理部２４２に出力する。
【００２６】
入力部２１５には、ユーザの操作によって生成された操作信号が入力される。入力部２１５は、例えば、リモートコントローラ（制御装置）ＲＣからの操作信号を赤外線で受信する赤外線インタフェースを含んで構成される。操作信号は、例えば、電源のオン／オフ、放送波を受信するチャンネル、輝度や輝度範囲などの情報を指定する。入力部２１５は、操作信号を制御部２４０に出力する。なお、入力部２１５は、ユーザの操作を受け付けるための物理的な部材、例えば、各種のボタン、つまみなどを含んで構成され、操作に応じた操作信号を生成してもよい。入力部２１５は、入力された操作信号を制御部２４０に出力する。
【００２７】
映像復号部２２１には、分離部２１３から映像データが入力される。映像復号部２２１は、入力された映像データについて所定の映像復号方式を用いて復号する。所定の映像復号方式は、映像符号化部１２０が用いた符号化方式に対応する復号方式である。映像復号部２２１は、復号された映像データを映像処理部２２２に出力する。
【００２８】
映像処理部２２２は、映像復号部２２１から入力された映像データについて所定の処理を行う。例えば、映像処理部２２２は、制御部２４０の通知情報処理部２４３から通知情報として通知画面データが入力されるとき、映像データが示す映像に通知画面データが示す通知画面を重ね合わせる。通知画面は、番組で提供されるＨＤＲ映像に所定の明滅度よりも明滅度が著しい明滅部分の存在を示す画面である。また、映像処理部２２２は、入力される映像データがＨＤＲ映像データであるとき、ＨＤＲ映像データが示すＨＤＲ映像の輝度をより狭い輝度範囲内の輝度に調整する。狭い輝度範囲とは、例えば、ＳＤＲ映像所定の輝度範囲内である。映像処理部２２２は、輝度の調整を、入力部２１５からの操作信号の入力に応じて行い、操作信号が入力されないときには行わなくてもよい。また、映像処理部２２２は、付随情報処理部２４２から入力される輝度情報に基づいて映像の輝度範囲がＨＤＲ、ＳＤＲのいずれであるかを判定することができる。映像処理部２２２は、処理によって得られた映像を示す映像データをディスプレイ制御部２２３に出力する。処理を行わない場合には、映像処理部２２２は映像復号部２２１から入力された映像データをディスプレイ制御部２２３に出力する。輝度情報に基づく処理の例については、後述する。
【００２９】
ディスプレイ制御部２２３は、映像処理部２２２から入力された映像データが示す映像の輝度を、入力部２１５から制御部２４０を介して入力される操作信号が示す制御パラメータに基づいて制御する。制御パラメータには、例えば、ゲイン、オフセット値などが含まれる。ゲイン、オフセット値は、それぞれ輝度値に乗算、加算されることによって映像のコントラスト、ブライトネスを調整するためのパラメータである。ディスプレイ制御部２２３は、輝度が制御された表示用の映像を示す映像データを表示部２２に出力する。
【００３０】
表示部２２は、ディスプレイ制御部２２３から入力される映像データに基づく映像を表示する。表示部２２は、例えば、液晶ディスプレイ（ＬＣＤ：Ｌｉｑｕｉｄ  Ｃｒｙｓｔａｌ  Ｄｉｓｐｌａｙ）、有機ＥＬ（Ｅｌｅｃｔｒｏｌｕｍｉｎｅｓｃｅｎｃｅ）ディスプレイ等である。表示部２２として、ＨＤＲ映像の輝度範囲の輝度が表示可能なディスプレイが用いられる。
【００３１】
音声復号部２３１には、分離部２１３から音声データが入力される。音声復号部２３１は、入力された音声データについて所定の音声復号方式を用いて復号する。所定の音声復号方式は、音声符号化部１３０が用いた符号化方式に対応する復号方式である。音声復号部２３１は、復号された音声データを音声処理部２３２に出力する。
音声処理部２３２は、音声復号部２３１から入力された音声データについて所定の処理を行う。音声処理部２３２は、所定の処理として、例えば、制御部２４０から入力される音声データが示す音声を音声復号部２３１から入力された音声データが示す音声とミキシングする。音声処理部２３２は、処理によって得られた音声を示す音声データをアンプ２３３に出力する。
アンプ２３３は、音声処理部２３２から入力された音声データが示す音声の音量を、入力部２１５から制御部２４０を介して入力される操作信号が示す制御パラメータに基づいて制御する。制御パラメータには、例えば、ゲイン値などが含まれる。ゲイン値は、音声の信号値に乗算されることによって音量を調整するためのパラメータである。アンプ２３３は、音量が制御された再生用の音声を示す音声データを拡声部２３に出力する。
【００３２】
拡声部２３は、アンプ２３３から入力される音声データに基づく音声を再生する。拡声部２３は、例えば、スピーカを含んで構成される。
【００３３】
制御部２４０は、受信装置２０の動作に係る各種の制御を行う。制御部２４０は、選局部２４１、付随情報処理部２４２および通知情報処理部２４３を含んで構成される。
選局部２４１は、入力部２１５から入力された操作信号から放送信号を受信するチャンネルを識別する。選局部２４１は、識別したチャンネルを指示する選局信号を生成し、生成した選局信号を放送受信部２１０に出力する。
【００３４】
付随情報処理部２４２は、分離部２１３から入力される付随情報に基づいて番組の提示に係る種々の制御を行う。付随情報処理部２４２は、付随情報から番組の構成要素である映像の輝度情報を抽出する。付随情報処理部２４２は、抽出した輝度情報を映像処理部２２２と通知情報処理部２４３に出力する。
【００３５】
通知情報処理部２４３は、付随情報処理部２４２から入力される輝度情報に基づいて、放送される映像がＨＤＲ映像であり、かつ当該映像に所定の明滅度よりも明滅度が著しい明滅部分が含まれるか否かを判定する。明滅部分が含まれると判定するとき、通知情報処理部２４３は、記憶部２５０に予め記憶された通知画面データを読み取り、読み取った通知画面データを通知情報として映像処理部２２２に出力する。
【００３６】
記憶部２５０は、制御部２４０で用いられる設定データ、制御部２４０において取得されたデータなど各種のデータを記憶する。記憶部２５０は、ＲＡＭ（Ｒａｎｄｏｍ  Ａｃｃｅｓｓ  Ｍｅｍｏｒｙ）、ＲＯＭ（Ｒｅａｄ−ｏｎｌｙ  Ｍｅｍｏｒｙ）などの各種の記憶媒体を含んで構成される。
【００３７】
（輝度情報の概要）
次に、付随情報に含まれる輝度情報の例について説明する。輝度情報には、大別して次の３種類の情報（１）〜（３）がある。本実施形態では、情報（１）〜（３）のうち、少なくとも１つが含まれていればよい。
（１）輝度の明滅度が所定の明滅度よりも著しい区間である明滅区間を含むか否かを示す情報（明滅情報）、（２）単位時間（例えば、３〜１０秒間）当たりの輝度変化の状態を示す情報（輝度変化情報）、（３）輝度の代表値（代表輝度情報）。輝度の代表値は、ある区間、例えば、番組の全体もしくは一部における輝度の最大値、平均値など、その区間における代表的な値である。
【００３８】
（ＭＰＴ）
番組データが伝送・多重化方式としてＭＭＴ方式を用いて伝送されるとき、輝度情報は、一例としてＭＰＴの記述子領域に記述される。
図４は、本実施形態に係るＭＰＴのデータ構造の一例を示す図である。
図４に示す例では、ＭＰＴ（ＭＭＴ＿Ｐａｃｋａｇｅ＿Ｔａｂｌｅ（））には、番組データの構成を示す構成情報が格納される。ＭＰＴは、バーション（ｖｅｒｓｉｏｎ）、ＭＰＴ記述子領域（ＭＰＴ＿ｄｅｓｃｒｉｐｔｏｒｓ＿ｂｙｔｅ）およびアセット毎のアセットタイプ（ａｓｓｅｔ＿ｔｙｐｅ）を含んで構成される。ＭＰＴ記述子領域は、ＭＰＴの記述子である。ＭＰＴ記述子には、その時点において伝送される番組データに関する記述子として輝度情報が記述される。従って、受信装置２０の付随情報処理部２４２は、付随情報に含まれるＭＰＴから輝度情報を抽出する。輝度情報は、例えば、番組毎に設定される。バージョンは、ＭＰＴのバージョン番号を示す。ＭＰＴに格納される情報が更新される毎にバージョン番号が昇順に更新される。時間の経過に伴い番組の切り替わりに応じて輝度情報が更新されると、その時点におけるバージョン番号に所定の増分値（例えば、１）を加算して得られる値が新たなバージョン番号として更新される。
【００３９】
アセットタイプ（ａｓｓｅｔ＿ｔｙｐｅ）は、アセットの種類を示す情報である。アセットとは、番組の構成要素を意味する。例えば、アセットタイプとして「ｈｖｃ１」が記述されるアセットは映像を示し、アセットタイプとして「ｍｐ４ａ」が記述されるアセットは音声を示す。なお、輝度情報は、放送される映像のアセットに係るアセット記述子領域（ａｓｓｅｔ＿ｄｅｓｃｒｉｐｔｏｒｓ＿ｂｙｔｅ）に記述されてもよい。これにより、付随情報処理部２４２は、当該輝度情報を用いた処理対象の映像を直ちに判定することができる。なお、当該映像がＨＤＲ映像であるかＳＤＲ映像であるかを示すＨＤＲフラグが輝度情報の一部として含まれてもよい。これにより、付随情報処理部２４２は、当該映像がＨＤＲ映像であるか否かを判定することができる。
【００４０】
次に、輝度情報の具体例について説明する。図５は、本実施形態に係る輝度情報の一種として（１）明滅情報の一例を示す図である。図５に示す例では、明滅情報は、フラッシュシーンフラグ（ｆｌａｓｈ＿ｓｃｅｎｅ）とフラッシュシーンレベル（ｆｌａｓｈ＿ｓｃｅｎｅ  ｌｅｖｅｌ）とを含む。フラッシュシーンフラグは、番組で提供される映像がフラッシュシーンを有するとき１の値を示し、フラッシュシーンを有しないとき０の値を示す。フラッシュシーンとは、映像の明滅度が所定の明滅度よりも著しい映像の区間（シーン）である明滅区間を意味する。フラッシュシーンレベルは、フラッシュシーンの程度、つまり明滅度を示す指標値を所定の段階数に離散化して得られた値である。図５に示す例では、フラッシュシーンレベルは、１から５までの５段階の整数値で表される。フラッシュシーンレベルの値が大きいほど明滅度が高いことを示す。フラッシュシーンフラグの値が０である場合には、フラッシュシーンレベルは設定されなくてもよい。送信装置１０の付随情報取得部１１０は、入力された映像データが示す映像について、明滅度の指標値を単位時間毎に算出する。明滅度の指標値は、例えば、後述の単位時間当たりの最大輝度変化回数、最大輝度変化量、平均輝度変化回数および平均輝度変化量のいずれか１つの値、または複数もしくは全ての値のそれぞれに所定の重み係数を乗算して得られる乗算値の総和であってもよい。
【００４１】
輝度情報を生成する際、付随情報取得部１１０は、単位時間（例えば、３〜１０秒）毎に算出した指標値が所定の指標値よりも大きい区間をフラッシュシーンとして判定し、それ以外の区間を非フラッシュシーンとして判定する。付随情報取得部１１０は、番組で提供される映像についてフラッシュシーンとして判定した区間があるとき、フラッシュシーンフラグの値を１と定める。付随情報取得部１１０は、番組で提供される映像についてフラッシュシーンとして判定した区間がないとき、フラッシュシーンフラグの値を０と定める。また、付随情報取得部１１０は、フラッシュシーンとして判定した区間内の指標値を、所定の段階数に離散化してフラッシュシーンレベルの値を算出する。
【００４２】
図６は、本実施形態に係る輝度情報の他の種類として（２）輝度変化情報の一例を示す図である。図６に示す例では、輝度変化情報は、最大輝度変化回数、最大輝度変化量、平均輝度変化回数および平均輝度変化量を含む。送信装置１０の付随情報取得部１１０は、入力される映像データが示す映像について、単位時間毎に指標値として最大輝度変化回数、最大輝度変化量、平均輝度変化回数および平均輝度変化量を算出し、算出した指標値を用いて輝度変化情報を生成する。
【００４３】
図６の第２行に示す最大輝度変化回数は、番組で提供される映像の単位時間当たりの最大輝度変化回数の当該番組における最大値である。単位時間当たりの最大輝度変化回数は、当該単位時間内におけるフレーム毎の輝度の代表値である最大輝度のフレーム間変化量が所定の変化量以上となる回数である。フレーム間変化量は、隣接するフレーム間における差分の絶対値である。所定の変化量として、例えば、その輝度の変化が繰り返されると視聴者の体調に影響を与える可能性がある輝度の変化量の閾値が用いられてもよい。より具体的には、所定の変化量は、ＨＤＲ映像信号の輝度範囲に対する所定の割合に基づいて設定されてもよい。輝度範囲は、輝度値の輝度値の最大値と輝度値の最小値で表される。輝度範囲に対する割合は、例えば、２０％から３０％程度である。フレーム間の最大輝度の変化は、そのまま映像の明滅を表すので、付随情報取得部１１０は、最大輝度の変化が所定の変化量を超える明滅の回数を最大輝度変化回数としてカウントする。所定の割合が２０％であって、輝度値が１０ビットで表される場合、所定の変化量は、（最大輝度値（例えば、９４０）−最小輝度値（例えば、６４））・２０、つまり１７５となる。この場合には、付随情報取得部１１０は、番組で提供される映像において、フレーム間の最大輝度の変化量が１７５よりも大きくなる回数を最大輝度変化回数としてカウントする。
【００４４】
図６の第３行に示す最大輝度変化量は、番組で提供される映像の単位時間当たりの最大輝度変化量の当該番組における最大値である。単位時間当たりの最大輝度変化量は、当該単位時間内におけるフレーム毎の輝度の代表値である最大輝度のフレーム間変化量のうちの最大値である。
図６の第４行に示す平均輝度変化量は、番組で提供される映像の単位時間当たりの平均輝度変化回数の当該番組における最大値である。単位時間当たりの平均輝度変化回数は、当該単位時間内におけるフレーム毎の輝度の代表値である平均輝度のフレーム間変化量が所定の変化量以上となる回数である。所定の変化量は、上述したようにＨＤＲ映像信号の輝度範囲に対する所定の割合に基づいて設定されてもよい。但し、平均輝度は、フレーム全体の輝度の平均であるので最大輝度よりも時間変化が緩やかである。そのため、平均輝度変化回数のカウントに用いる所定の変化量として、最大輝度変化回数のカウントに用いる所定の変化量よりも小さい値を設定しておく。平均輝度変化回数のカウントに用いる所定の変化量は、例えば、最大輝度変化回数のカウントに用いる所定の変化量の１／４程度であればよい。その場合、輝度範囲に対する割合は、５．０〜７．５％となる。
図６の第５行に示す平均輝度変化量は、番組で提供される映像の単位時間当たりの平均輝度変化量の当該番組における最大値である。単位時間当たりの平均輝度変化量は、当該単位時間内におけるフレーム毎の輝度の代表値である平均輝度のフレーム間変化量のうちの最大値である。
なお、本実施形態では、輝度変化情報として、最大輝度変化回数、最大輝度変化量、平均輝度変化回数および平均輝度変化量の全ての指標値が含まれていなくてもよく、少なくともそれらの指標値のうちの１つが含まれていればよい。また、最大値に代えて平均値がコンテンツ内の代表値として用いられてもよい。
【００４５】
図７は、本実施形態に係る輝度情報のさらに他の種類として（３）代表輝度情報の一例を示す図である。図７に示す例では、ＣＴＡ−８６１−Ｆで規定された最大コンテンツ輝度レベル（ＭａｘＣＬＬ：Ｍａｘｉｍｕｍ  Ｃｏｎｔｅｎｔ  Ｌｉｇｈｔ  Ｌｅｖｅｌ）と最大フレーム平均輝度レベル（ＭａｘＦＡＬＬ：Ｍａｘｉｍｕｍ  Ｆｒａｍｅ−ａｖｅｒａｇｅ  Ｌｉｇｈｔ  Ｌｅｖｅｌ）を含む。
【００４６】
送信装置１０の付随情報取得部１１０は、入力される映像データが示す映像の一連のシーンについて、指標値として最大コンテンツ輝度レベルと最大フレーム平均輝度レベルを取得し、取得した指標値を用いて輝度変化情報を生成する。一連のシーンとは、番組全体であってもよいし、番組の一部である区間それぞれであってもよい。区間は、所定の単位時間毎に区切られた区間であってもよいし、制作者が任意に設定した区間であってもよい。
【００４７】
最大コンテンツ輝度レベルは、一連のシーン内の映像の輝度レベルの最大値である。最大フレーム平均輝度レベルは、一連のシーンのフレーム平均輝度レベルの最大値である。フレーム平均輝度レベルは、フレーム毎の輝度レベルの平均値である。輝度レベルは、物理輝度として表された値であってもよいし、その物理輝度から所定のＯＥＴＦ（Ｏｐｔｏ−ｅｌｅｃｔｒｉｃａｌ  Ｔｒａｎｓｆｅｒ  Ｆｕｎｃｔｉｏｎ、光電変換関数）を用いて変換された輝度値であってもよい。
なお、本実施形態では、代表輝度情報として、最大コンテンツ輝度レベルと最大フレーム平均輝度レベルの両方の指標値が含まれていなくてもよく、少なくともそれらのいずれか１つの指標値が含まれていればよい。また、最大コンテンツ輝度レベルまたは最大フレーム平均輝度レベルに代えてもしくはそれらとともに平均コンテンツ輝度レベルまたは平均フレーム平均輝度レベルが含まれてもよい。
【００４８】
（処理例）
次に、番組の切り替わりに伴って輝度情報が変化する場合を例にして、映像処理部２２２が行う処理および通知情報処理部２４３が行う処理の例について説明する。図８は、本実施形態に係る輝度情報に基づく処理の一例を示す図である。
図８に示す例では、輝度情報がフラッシュシーンフラグ（ｆｌａｓｈ＿ｓｃｅｎｅ）とフラッシュシーンレベル（ｆｌａｓｈ＿ｓｃｅｎｅ  ｌｅｖｅｌ）を含む。
放送されるコンテンツは、いずれもＨＤＲ映像であり、時間経過に応じてコンテンツＰ、コンテンツＡ、コンテンツＢと順次切り替わる。コンテンツＰ、Ｂに係るフレッシュシーンフラグの値、フラッシュシーンレベルの値は、いずれも０である。コンテンツＡに係るフラッシュシーンフラグの値、フラッシュシーンレベルの値は、それぞれ１、３である。所定の明滅度の指標値として設定されたフラッシュシーンレベルの値は、２である。所定の明滅度の指標値は、設定メニューを介してユーザが任意に設定可能である。設定において、制御部２４０は、設定メニュー画面を表示部２２に表示させているとき、入力部２１５から入力される操作信号が示す値を、所定の明滅度の指標値として定め、記憶部２５０に当該値を含む設定情報を記憶部２５０に記憶する。
【００４９】
放送されるコンテンツがコンテンツＰからコンテンツＡに切り替わるとき、通知情報処理部２４３は、輝度情報に含まれるフラッシュシーンフラグの値が０から１に変化することを検出する。通知情報処理部２４３は、輝度情報に含まれるフラッシュシーンレベルの値と、予め設定されたフラッシュシーンレベルの値とを比較する。輝度情報に含まれるフラッシュシーンレベルの値の方が大きいので、通知情報処理部２４３は、設定されたフラッシュシーンレベルよりもフラッシュシーンレベルが高いフラッシュシーンがコンテンツＡの映像に含まれると判定する。そして、通知情報処理部２４３は、記憶部２５０から通知画面データを読み取り、読み取った通知画面データを映像処理部２２２に出力する。映像処理部２２２は、表示部２２に所定のメッセージを含む通知画面をコンテンツＡに切り替わった時点から表示させる。
【００５０】
表示させるメッセージには、例えば、明滅度が著しいことを示すメッセージ「このコンテンツは、明滅の激しいシーンを含みます。」との文が含まれる。表示させるメッセージには、ユーザに視聴するか否かの判断を促すメッセージ「視聴しますか？」が含まれてもよい。また、表示させるメッセージには、ユーザに輝度範囲をより狭くするか否かの判断を促すメッセージ「ＨＤＲをＳＤＲに切り替えますか？」もしくは「最大輝度を下げますか？」が含まれてもよい。ユーザにはコンテンツＡの映像の視聴前に、コンテンツＡの映像に明滅度が著しい明滅区間を含むことについて警告もしくは告知される。また、コンテンツの切り替えなどの時点においては、付随情報に含まれる輝度情報が受信された映像データが復号される前に検出されることがある。その場合には、通知情報処理部２４３は、切り替え後のコンテンツの映像が表示される前に通知画面を表示部２２に表示させることができる。そのため、ユーザは、当該コンテンツの視聴前に明滅度が著しい明滅区間を含むことについて警告もしくは告知される。この警告もしくは告知により、ユーザには、映像の視聴をやめるか、操作により映像の輝度を低下させることや映像の輝度範囲をＨＤＲからＳＤＲに縮小することが促される。
【００５１】
他方、映像処理部２２２は、輝度情報に基づいてコンテンツＡの映像がＨＤＲ映像であることを検出し、コンテンツＡの映像の輝度範囲をより狭くしてもよい。より狭い輝度範囲として、映像処理部２２２は、ＳＤＲの輝度範囲に定めてもよいし、その映像の最大輝度を低くしてもよい。そのため、ユーザは、映像に明滅区間が含まれることを認識したうえで、操作を行わずに明滅度が低減した映像の視聴を継続することができる。
なお、最大輝度を低くする際、映像処理部２２２は、コンテンツＡの最大輝度をＳＤＲ映像の最大輝度に定めてもよいし、元の最大輝度に予め定めた減衰率を乗じて得られた輝度に定めてもよい。映像処理部２２２は、最大輝度を低くするための処理として、例えば、クリッピング処理、減衰（圧縮処理）、ディスプレイ制御部２２３を介した表示部２２が備える発光部（例えば、バックライト）の輝度の低下など、いずれの手法を用いてもよい。
【００５２】
放送されるコンテンツがコンテンツＡからコンテンツＢに切り替わるとき、通知情報処理部２４３は、輝度情報に含まれるフラッシュシーンフラグの値が１から０に変化することを検出する。このとき、通知情報処理部２４３は、コンテンツＢの映像にフラッシュシーンを含まないと判定する。そのため、通知情報処理部２４３は、表示部２２に通知画面を表示させず、表示させていた通知画面を消去する。映像処理部２２２は、コンテンツＢの映像の輝度範囲を、ＨＤＲ映像に所定の輝度範囲と定める。従って、通知情報処理部２４３は、放送されるコンテンツの映像について輝度範囲を狭くする処理を停止する。
なお、コンテンツの切り替わりに伴いフラッシュシーンフラグの値が１のまま維持されるときでも、フラッシュシーンレベルの値が予め設定されたフラッシュシーンレベルの値以下である場合がある。その場合には、通知情報処理部２４３は、表示部２２に通知画面を表示させるための処理を行わない。
【００５３】
図９は、本実施形態に係る輝度情報に基づく処理の他の例を示す図である。図９に示す例では、輝度情報は最大輝度変化回数と最大輝度変化量とを含む。
コンテンツＰ、Ａ、Ｂに係る最大輝度変化回数は、それぞれ２、１０、３である。コンテンツＰ、Ａ、Ｂに係る最大輝度変化量は、それぞれ１０、８０、１０である。所定の明滅度の指標値として予め設定された最大輝度変化回数の上限値、最大輝度変化量の上限値は、それぞれ５、６０である。
【００５４】
放送されるコンテンツがコンテンツＰからコンテンツＡに切り替わるとき、通知情報処理部２４３は、輝度情報に含まれる最大輝度変化回数の値が２から１０に、最大輝度変化量の値が１０から８０に変化することを検出する。通知情報処理部２４３は、輝度情報に含まれる最大輝度変化回数が予め設定された最大輝度変化回数の上限値よりも大きく、かつ輝度情報に含まれる最大輝度変化量が予め設定された最大輝度変化量の上限値よりも大きいと判定する。この判定に基づき、通知情報処理部２４３は、短時間の輝度変化の状態が所定の輝度変化の状態よりも著しいシーンがコンテンツＡの映像に含まれると判定する。
そして、通知情報処理部２４３は、記憶部２５０から通知画面データを読み取り、読み取った通知画面データを映像処理部２２２に出力する。映像処理部２２２は、表示部２２に所定のメッセージを含む通知画面をコンテンツＡに切り替わった時点から所定期間表示させる。これにより、ユーザにはコンテンツＡの映像の視聴前に、コンテンツＡの映像に明滅度が著しい明滅区間を含むことについて警告もしくは告知される。
【００５５】
また、本実施形態では、最大輝度変化回数の上限値、最大輝度変化量の上限値などの明滅度を示す指標値は、予めメニュー画面の設定メニューを介してユーザが任意に設定可能であってもよい。これにより、ユーザは警告もしくは告知を行うべき明滅度をより詳細に知ることができるとともに、ユーザの光過敏性の程度に応じて、その明滅度を変更することができる。また、図８に示す例と同様に、映像処理部２２２は、輝度情報に基づいてコンテンツＡの映像がＨＤＲ映像であることを検出し、コンテンツＡの映像の輝度範囲をより狭くしてもよい。
【００５６】
放送されるコンテンツがコンテンツＡからコンテンツＢに切り替わるとき、通知情報処理部２４３は、輝度情報に含まれる最大輝度変化回数の値が１０から３に変化することと、最大輝度変化量の値が８０から１０に変化することを検出する。このとき、通知情報処理部２４３は、明滅度として短時間の輝度変化の状態が所定の輝度変化の状態よりも著しいシーンがコンテンツＢの映像に含まれないと判定する。そのため、通知情報処理部２４３は、表示部２２に通知画面を表示させず、表示させていた通知画面を消去する。映像処理部２２２は、コンテンツＢの映像の輝度範囲を、ＨＤＲ映像に所定の輝度範囲に戻す。
【００５７】
なお、通知情報処理部２４３は、輝度情報に複数種類の指標値が含まれるとき、複数のうち少なくとも１種類の指標値が予め設定された指標値の上限値を超え、その他の種類の指標値が予め設定された当該種類の指標値の上限値を超えない場合がある。図９に示す例では、輝度情報に最大輝度変化回数と最大輝度変化量の一方が、その一方の上限値を超える場合に相当する。その場合において、通知情報処理部２４３が表示部２２に通知画面を表示させるための処理を行ってもよいし、映像処理部２２２が放送されるコンテンツの映像について輝度範囲を狭くする処理を行ってもよい。映像の明滅度を表す複数種類の指標値のうち、少なくとも１種類に基づいて警告もしくは告知、または輝度範囲の縮小がなされるので、視聴によりユーザの体調に影響するリスクを低減することができる。
【００５８】
図１０は、本実施形態に係る輝度情報に基づく処理のさらに他の例を示す図である。図１０に示す例では、輝度情報が最大輝度変化回数と最大輝度変化量を含んで構成される。最大コンテンツ輝度レベル（ＭａｘＣＬＬ）と最大フレーム平均輝度レベル（ＭａｘＦＡＬＬ）を含む。
コンテンツＰ、Ａ、Ｂに係る最大コンテンツ輝度レベルは、それぞれ２００、６００、１８０である。コンテンツＰ、Ａ、Ｂに係る最大フレーム平均輝度レベルは、それぞれ４０、２００、３０である。所定の明滅度の指標値として予め設定された最大コンテンツ輝度レベルの上限値、最大フレーム平均輝度レベルの上限値は、それぞれ３００、５０である。
【００５９】
放送されるコンテンツがコンテンツＰからコンテンツＡに切り替わるとき、通知情報処理部２４３は、輝度情報に含まれる最大コンテンツ輝度レベルの値が２００から６００に、最大フレーム平均輝度レベルの値が４０から２００に変化することを検出する。通知情報処理部２４３は、輝度情報に含まれる最大コンテンツ輝度レベルの値が予め設定された最大コンテンツ輝度レベルの上限値よりも大きく、かつ輝度情報に含まれる最大フレーム平均輝度レベルが予め設定された最大フレーム平均輝度レベルの上限値よりも大きいと判定する。動画においては、時々刻々と映像の輝度が変化することが通例である。そこで、この判定に基づき、通知情報処理部２４３は、明滅度が所定の明滅度よりも著しいシーンがコンテンツＡの映像に含まれると判定する。そして、通知情報処理部２４３は、記憶部２５０から通知画面データを読み取り、読み取った通知画面データを映像処理部２２２に出力する。映像処理部２２２は、表示部２２に所定のメッセージを含む通知画面をコンテンツＡに切り替わった時点から所定期間表示させる。これにより、ユーザにはコンテンツＡの映像の視聴前に、コンテンツＡの映像に明滅度が著しい明滅区間を含むことについて警告もしくは告知される。
【００６０】
また、最大コンテンツ輝度レベルの上限値、最大フレーム平均輝度レベルの上限値などの明滅度を示す指標値は、予めメニュー画面の設定メニューを介してユーザが任意に設定可能であってもよい。また、図８、９に示す例と同様に、映像処理部２２２は、輝度情報に基づいてコンテンツＡの映像がＨＤＲ映像であることを検出し、コンテンツＡの映像の輝度範囲をより狭くしてもよい。
【００６１】
放送されるコンテンツがコンテンツＡからコンテンツＢに切り替わるとき、通知情報処理部２４３は、輝度情報に含まれる最大コンテンツ輝度レベルの値が６００から１８０に変化することと、最大フレーム平均輝度レベルの値が２００から３０に変化することを検出する。このとき、通知情報処理部２４３は、明滅度が所定の明滅度よりも著しいシーンがコンテンツＢの映像に含まれないと判定する。そのため、通知情報処理部２４３は、表示部２２に通知画面を表示させず、表示させていた通知画面を消去する。映像処理部２２２は、コンテンツＢの映像の輝度範囲を、ＨＤＲ映像に所定の輝度範囲に戻す。なお、輝度情報に最大コンテンツ輝度レベルの値と最大フレーム平均輝度レベルの一方が、その一方の上限値を超える場合において、通知情報処理部２４３は表示部２２に通知画面を表示させるための処理を行ってもよいし、映像処理部２２２は放送されるコンテンツの映像について輝度範囲を狭くする処理を行ってもよい。
【００６２】
なお、図８〜図１０に示す例では、放送信号を受信するチャンネルが変更されず一定に維持されているとき、時間経過に応じたコンテンツの切り替わりに伴って輝度情報が変化することを前提とした。例示した処理は、時間経過に応じた輝度情報の変化の他、チャンネルの切り替えに応じた輝度情報の変化にも適用されてもよい。また、映像処理部２２２は、通知画面を表示部２２に表示させる期間を、表示を開始した時点（図８〜図１０に示す例では、放送されるコンテンツがコンテンツＡに切り替わった時点）から所定期間（例えば、１５〜６０秒間）内に限定してもよい。
【００６３】
（変形例）
次に、本実施形態の一変形例について説明する。本変形例では、放送されるＨＤＲ映像を示すＨＤＲ映像データが、ＣＴＡ−８６１−Ｆによって規定されたＨＤＲ信号として構成されてもよい。その映像に係る付随情報は、ＨＤＲ信号に所定のデータ領域としてＩｎｆｏＦｒａｍｅに記述される。図１１は、本変形例に係るＩｎｆｏＦｒａｍｅのデータ構成の一例を示す図である。ＩｎｆｏＦｒａｍｅは、種別コード（ＩｎｆｏＦｒａｍｅ  Ｔｙｐｅ  Ｃｏｄｅ）と複数のデータ領域（Ｄａｔａ  Ｂｙｔｅ）を含んで構成される。種別コードは、付随情報の種別を示す符号である。映像の輝度に関する輝度情報が記述されるＩｎｆｏＦｒａｍｅの種別コードは、０ｘ０７である。データ領域は、付随情報が記述されるデータ領域である。本実施形態では、輝度情報としてＩｎｆｏＦｒａｍｅに記述される最大コンテンツ輝度レベル、最大フレーム平均輝度レベルを用いてもよい。
【００６４】
図１２は、本実施形態に係る輝度情報が格納されるデータ領域の一例を示す図である。
図１２に示す例では、Ｄａｔａ  Ｂｙｔｅ  ３〜２６のそれぞれに記述される情報が、その情報の種類毎に６つのグループ（Ｇｒｏｕｐ）に分類されている。最大コンテンツ輝度レベル、最大フレーム平均輝度レベルは、それぞれＤａｔａ  Ｂｙｔｅ２３、２５に格納され、グループ５、６に分類されている。
【００６５】
上述したフラッシュシーンフラグ、フラッシュシーンレベルは、ＩｎｆｏＦｒａｍｅに記述されてもよい。図１３に示す例では、フラッシュシーン、フラッシュシーンレベルは、それぞれＤａｔａ  Ｂｙｔｅ２７、２８に格納され、グループ２に分類されている。
上述した最大輝度変化回数、最大輝度変化量、平均輝度変化回数および平均輝度変化量は、ＩｎｆｏＦｒａｍｅに記述されてもよい。図１４に示す例では、最大輝度変化回数、最大輝度変化量、平均輝度変化回数および平均輝度変化量は、それぞれＤａｔａ  Ｂｙｔｅ２７、２８、２９、３０に格納され、グループ４に分類されている。
【００６６】
なお、輝度情報は、ＭＰＴに代え、ＭＨ−ＥＩＴのイベント識別毎に設けられる記述子領域に格納されてもよい。イベント識別は、個々の番組を識別する識別情報である。そのため、受信装置２０の付随情報処理部２４２は、放送される番組毎に適用される輝度情報を直ちに特定することができる。
【００６７】
以上に説明したように、本実施形態に係る受信装置２０は、放送される標準よりも広範囲の輝度を有するＨＤＲ映像の明滅に関する輝度情報をＨＤＲ映像に付随した付随情報に基づいて取得する付随情報処理部２４２を備える。また、受信装置２０は、輝度情報に基づいて、ＨＤＲ映像に所定の明滅度よりも明滅度が著しい明滅部分が含まれると判定するとき、明滅部分の存在を示す通知情報を出力する通知情報処理部２４３を備える。
この構成により、明滅が著しい明滅部分の存在を放送される高ダイナミックレンジ映像を視聴する前にユーザに告知または警告することができる。この告知または警告により、ユーザには、映像の視聴をやめるか、操作により映像の輝度範囲を縮小することが促される。
【００６８】
また、輝度情報は、ＨＤＲ映像において所定の単位時間当たりの輝度の代表値がフレーム間で所定量以上変化した回数と、単位時間当たりの輝度の代表値のフレーム間の差分との少なくとも一方を含む。また、通知情報処理部２４３は、当該回数が所定の回数よりも大きい、または当該差分が所定の差分よりも大きいとき明滅部分が含まれると判定する。
この構成により、放送されるＨＤＲ映像のうち、短時間の輝度の変動量が所定の変動量よりも大きい部分が明滅部分として検出される。そのため、受信装置２０において、短時間の輝度の変動を解析する手段を備えなくても、放送されるＨＤＲ映像に明滅が著しい明滅部分が含まれることを定量的に判定することができる。また、所定の変動量として、輝度の代表値がフレーム間で所定量以上変化した回数もしくは単位時間当たりの輝度の代表値のフレーム間の差分を、ユーザの操作に基づいて設定可能としておくことで、ユーザは告知または警告を行うべき明滅度をより詳細に知得し、光過敏性の程度に応じて当該明滅度を設定することができる。
【００６９】
また、輝度情報は、ＨＤＲ映像における輝度の代表値を含み、通知情報処理部２４３は、当該代表値が所定の代表値よりも大きいとき、明滅部分が含まれると判定する。
この構成により、輝度の代表値が所定の代表値よりも大きい放送されるＨＤＲ映像が、明滅部分を含むＨＤＲ映像であると判定される。そのため、受信装置２０において、映像の明滅度を定量的に解析しなくても、明滅部分を含むＨＤＲ映像であるか否かが判定される。所定の代表値として、ＨＤＲ映像の輝度の代表値を、ユーザの操作に基づいて設定可能としておくことで、ユーザは告知または警告を行うべき明滅度をより詳細に知得し、光過敏性の程度に応じて当該明滅度を設定することができる。
【００７０】
また、受信装置２０は、通知情報処理部２４３がＨＤＲ映像に明滅部分が含まれると判定するとき、ＨＤＲ映像の輝度をＳＤＲ映像の輝度範囲内に調整する映像処理部２２２を備える。
この構成により、放送されるＨＤＲ映像の輝度がＳＤＲ映像の輝度範囲内に調整されるので、当該ＨＤＲ映像の明滅部分の輝度もＳＤＲ映像の輝度範囲内に低減する。そのため、ユーザは、映像に明滅区間が含まれることを認識したうえで、操作を行わずに明滅度が低減した映像の視聴を継続することができる。
【００７１】
（第２の実施形態）
次に、本発明の第２の実施形態について説明する。第１の実施形態と同一の構成については、同一の符号を付してその説明を援用する。
図１５は、本実施形態に係る放送システム１の構成を示す概略ブロック図である。図１５に示す例では、放送システム１は、送信装置１０、受信装置２０およびサーバ装置３０を含んだ放送通信連携システムとして構成される。サーバ装置３０は、例えば、放送事業者または番組提供者が管理するサーバ装置である。
【００７２】
通信伝送路ＣＴは、サーバ装置３０と受信装置２０との間で各種のデータを双方向的に伝送する伝送路である。通信伝送路ＣＴは、例えば、インターネット、公衆無線通信網、等の広域通信網を含む。通信伝送路ＣＴには、一部に構内通信網（ＬＡＮ：Ｌｏｃａｌ  Ａｒｅａ  Ｎｅｔｗｏｒｋ）や専用のアクセス網が含まれてもよい。なお、通信伝送路ＣＴを介して各種のデータを伝送（または、送信、受信）することを、「通信で伝送（または、送信、受信）する」と呼ぶことがある。
【００７３】
サーバ装置３０は、受信装置２０からアプリケーション要求信号を受信するとき、その応答としてアプリケーションプログラム（以下、アプリケーションと呼ぶ）を受信装置２０に送信する。アプリケーション要求信号は、対象のアプリケーションの要求を指示する信号である。当該アプリケーションは、所定の記述言語（例えば、ＨＴＭＬ５）で記述され、番組の提示に係る各種の機能を実現するための命令が記述される。アプリケーションの機能例については、後述する。
【００７４】
本実施形態に係る送信装置１０の付随情報取得部１１０（図２参照）は、さらにアプリケーション制御情報を取得し、取得したアプリケーション制御情報の存在を示す情報をＭＰＴに記述し、そのＭＰＴを含んだサービス情報を生成する。アプリケーション制御情報は、アプリケーションの取得先情報としてサーバ装置３０のＵＲＬ（Ｕｎｉｆｏｒｍ  Ｒｅｓｏｕｒｃｅ  Ｌｏｃａｔｏｒ）、アプリケーションの起動、停止、等の実行を制御するための情報が含まれる。制御情報は、例えば、所定のデータ形式を有するアプリケーション情報テーブル（ＭＨ−ＡＩＴ：Ａｐｐｌｉｃａｔｉｏｎ  Ｉｎｆｏｒｍａｔｉｏｎ  Ｔａｂｌｅ）として表される。本実施形態では、アプリケーションに当該番組の映像の輝度情報の取得コマンドが含まれてもよい。取得コマンドには、例えば、取得先情報として輝度情報が配置された機器のアドレスと当該輝度情報が格納されたデータファイルのファイル名が含まれる。
【００７５】
受信装置２０は、当該アプリケーションに記述された命令で指示された処理を行って輝度情報を取得する。受信装置２０は、取得した輝度情報を用いて、上述した映像の輝度を調整する処理を行う。また、受信装置２０は、取得した輝度情報に基づいて放送される映像がＨＤＲ映像でありかつ当該映像に明滅部分が含まれると判定するとき、上述した通知情報を出力する。なお、アプリケーションに輝度情報の取得コマンドが含まれる場合もしくはアプリケーションに輝度情報が含まれる場合には、ＭＰＴ、ＭＨ−ＥＩＴもしくはＨＤＲ信号において輝度情報が省略されてもよい。
【００７６】
アプリケーション制御情報ならびにアプリケーションにも、番組の提供に係る付随情報が含まれるが、ＭＭＴ−ＳＩとは別個の情報単位として処理される。多重化部１４０は、さらにアプリケーション制御情報を多重化して多重化データを生成する。受信装置２０の分離部２１３（図１６参照）は、復調部２１１から入力される多重化データからさらにアプリケーション制御情報を分離し、分離したアプリケーション制御情報を付随情報処理部２４２に出力する。
【００７７】
（受信装置）
次に、本実施形態に係る受信装置２０の構成について説明する。図１６は、本実施形態に係る受信装置２０の構成を示す概略ブロック図である。
本実施形態に係る受信装置２０は、さらに通信部２６０を含んで構成される。
通信部２６０は、通信伝送路ＣＴを介して接続されたサーバ装置３０から受信した各種の受信データを制御部２４０に出力し、制御部２４０から入力された各種の送信データをサーバ装置３０に送信する。通信部２６０は、例えば、通信インタフェースである。
【００７８】
付随情報処理部２４２は、さらにアプリケーション制御部２４４とアプリケーション実行部２４５を含んで構成される。
アプリケーション制御部２４４は、分離部２１３から入力されるアプリケーション制御情報に基づいてアプリケーションを取得し、取得したアプリケーションに記述された命令で指示される処理を制御する。なお、アプリケーションに記述された命令で指示される処理を行わせることを、「アプリケーションを実行する」または「アプリケーションの実行」と呼ぶ。
【００７９】
アプリケーション制御部２４４は、アプリケーション制御情報からアプリケーションの取得先情報を抽出し、抽出した取得先情報で指示されるサーバ装置３０にアプリケーション要求信号を送信する。アプリケーション制御部２４４は、その応答としてサーバ装置３０からアプリケーションを受信し、受信したアプリケーションをアプリケーション実行部２４５に出力する。アプリケーション制御部２４４は、アプリケーション制御情報に含まれる各種のコマンドに基づいてアプリケーション実行部２４５にアプリケーションの実行を制御する。
【００８０】
アプリケーション実行部２４５は、アプリケーション制御部２４４から入力されたアプリケーションを実行する。アプリケーション実行部２４５は、アプリケーションに記述された命令に基づいて、番組データが示す映像の提示に関する処理を他の機能部に実行させる。アプリケーション実行部２４５は、例えば、当該アプリケーションに記述された取得コマンドで指示された機器に通信部２６０を介して輝度情報要求信号を送信する。アプリケーション実行部２４５は、輝度情報要求信号の応答として当該機器から通信部２６０を介して輝度情報を受信する。また、アプリケーション実行部２４５は、取得した輝度情報に基づく上述の輝度調整処理を映像処理部２２２に実行させてもよい。アプリケーション実行部２４５は、通知情報処理部２４３に取得された輝度情報に基づいて、放送される映像がＨＤＲ映像であり、かつ当該映像に所定の明滅度よりも明滅度が著しい明滅部分が含まれるか否かを記憶部２５０から読み取った通知画面データを通知情報として映像処理部２２２に出力させる。
【００８１】
（アプリケーション制御）
次に、本実施形態に係るアプリケーション制御の例について説明する。アプリケーション制御情報には、起動指示（ＡＵＴＯＳＴＡＲＴ）、待機（ＰＲＥＳＥＮＴ）、終了（ＫＩＬＬ）などの制御情報が含まれる。図１７は、本実施形態に係るアプリケーション制御の例を示す図である。図１７に示す例は、既に取得したアプリケーションについて、アプリケーション制御部２４４が起動指示に基づいて実行を開始させ、終了指示に基づいて実行を終了させることを示す。起動が指示されるアプリケーションには、例えば、上述した取得コマンド、通知コマンドおよび調整コマンドが含まれる。通知コマンドは、通知情報処理部２４３に、取得した輝度情報に基づいてＨＤＲ映像に明滅部分が含まれると判定するとき通知情報を映像処理部２２２に出力させるための命令である。調整コマンドは、映像処理部２２２に、取得した輝度情報に基づいて映像の輝度調整処理を行わせるための命令である。アプリケーション制御部２４４が起動を指示する時期は、例えば、当該番組の開始時刻とアプリケーションの取得が完了した時点（放送時間の途中から受信開始する時点）の遅い方である。アプリケーション制御部２４４が終了を指示する時期は、例えば、当該番組の終了時刻または放送時間の途中において当該番組の受信を終了する時点の早い方である。
【００８２】
（アプリケーションの実行例）
次に、アプリケーションの実行例について説明する。図１８は、本実施形態に係るアプリケーションの一実行例を示す図である。
図１８（ａ）は、表示部２２に表示される通知画面の例（通知画面Ｄｇ０１）を示す。通知画面Ｄｇ０１は、アプリケーション実行部２４５が通知コマンドに従って、通知情報処理部２４３に表示させる表示情報の一例である。通知画面Ｄｇ０１は、番組の映像の右下端から所定範囲内に重なって表示されている。この表示位置に表示された通知画面Ｄｇ０１は、ユーザによる番組の映像の視認を著しく妨げない。通知画面Ｄｇ０１は、メッセージ、「はい」ボタンおよび「いいえ」ボタンを含んで構成される。メッセージは、放送される映像に明滅部分を含むことを示す通知メッセージ「このコンテンツは、明滅の激しいシーンを含みます」を含む。また、メッセージは、映像の輝度範囲をユーザにより狭くするか否かの判断を促すための案内メッセージ「輝度を調整しますか？」を含む。
【００８３】
ユーザの操作に応じて「はい」ボタンが押下されるとき、アプリケーション実行部２４５は、通知情報処理部２４３に調整コマンドが示す処理を開始させる。「いいえ」ボタンが押下されるときまたは通知画面Ｄｇ０１の右上端の×印が押下されるときには、アプリケーション制御部２４４は、アプリケーションで指示された動作を終了させる。このとき、アプリケーション実行部２４５は、通知情報処理部２４３に通知画面Ｄｇ０１の表示を停止させる。なお、「押下」とは、ユーザの操作に応じて入力部２１５から、その表示領域内の位置を示す操作信号を取得することを意味する。
【００８４】
図１８（ｂ）は、アプリケーションに記述された調整コマンドに従って表示部２２に表示される輝度調整画面の例（輝度調整画面Ｄｇ０２）を示す。図１８（ｂ）に示す例では、輝度調整画面Ｄｇ０２は、番組の映像の右下端から所定範囲内に重なって表示されている。輝度調整画面Ｄｇ０２には、長手方向が水平方向に向けられた帯状のバーＢｒ０１、スクロールバーＳｃ０１およびボタンＢｔ０１が上方から下方に順に配列されている。
【００８５】
バーＢｒ０１の全長は、それぞれ表示部２２として用いられるディスプレイが表示可能な輝度範囲を示し、左端から右方に延びる明るく塗りつぶされている部分の長さは、放送される映像の輝度範囲を示す。スクロールバーＳｃ０１は、ユーザが任意に設定する輝度範囲（以下、ユーザ設定輝度範囲）を押下に応じて設定するための画面部品である。スクロールバーＳｃ０１の左端のアローは、押下によりユーザ設定輝度範囲の上限（例えば、最大輝度）として設定される値を小さくするための画面部品である。スクロールバーＳｃ０１の右端のアローは、押下によりユーザ設定輝度範囲の上限として設定される値を大きくするための画面部品である。スクロールバーＳｃ０１の中央部に表されているノブは、押下される位置を移動させると、その移動に伴い表示位置が移動して表示される画面部品である。その移動量に応じて変化したユーザ設定輝度範囲の上限が設定される。但し、移動方向は水平方向に制限されている。従って、スクロールバーＳｃ０１への操作により、ユーザは、バーＢｒ０１を見ながら表示部２２が表示可能な輝度範囲とユーザ設定輝度範囲を任意に指示することができる。図１８（ｂ）に示す例では、ユーザ設定輝度範囲は、放送で提供される映像の輝度範囲内に制限されるが、表示部２２が表示可能な輝度範囲を超えてもよいし、超えなくてもよい。
【００８６】
ボタンＢｔ０１は、押下によりユーザ設定輝度範囲を所定のＳＤＲの輝度範囲に設定するための画面部品である。従って、ユーザは、ボタンＢｔ０１の押下によりユーザ設定輝度範囲としてＳＤＲ映像所定の輝度範囲を設定することができる。
アプリケーション実行部２４５は、取得したユーザ設定輝度範囲を示す輝度情報を映像処理部２２２に出力する。
【００８７】
図１８に示す例では、映像処理部２２２が輝度調整に用いるパラメータとして、輝度情報が示す映像の最大輝度がユーザ設定輝度範囲の上限に更新される。つまり、映像処理部２２２は、映像の最大輝度に代えてユーザ設定輝度範囲の上限を用いて輝度調整処理を行う。従って、本実施形態によれば、ユーザには、明滅度が所定の明滅度よりも高い映像が放送される前に、そのような映像が放送されることが通知され、任意に設定された輝度範囲内もしくはＳＤＲ映像所定の輝度範囲内にＨＤＲ映像の輝度が調整される。
【００８８】
（変形例）
次に、本実施形態の一変形例について説明する。
本変形例に係る受信装置２０のアプリケーション制御部２４４は、取得したアプリケーションを、所定の他の機器に送信し、他の機器が送信したアプリケーションに記述された命令で指示される処理を制御する。つまり、本変形例ではアプリケーション制御部２４４は、アプリケーション実行部２４５におけるアプリケーションの実行に代え（例えば、図１７、図１８）、他の機器におけるアプリケーションの実行を制御する。他の機器が通信部（図示せず）を備える場合には、アプリケーション制御部２４４は、他の機器にアプリケーション制御情報に記述された取得先からアプリケーションを受信させてもよい。通信部は、通信伝送路ＣＴを介してサーバ装置３０と接続して各種のデータを送受信する。その場合には、受信装置２０において通信部２６０が省略されてもよい。
【００８９】
他の機器は、受信装置２０が受信する番組の提示を制御するための各種の制御情報を受信装置２０に提供し、受信装置２０から番組の提示に関する各種の表示情報を表示する制御機能を実現するセカンドディスプレイとして機能する。受信装置２０の入力部２１５は、リモートコントローラＲＣに代えて他の機器から受信した操作信号を制御部２４０に出力する。入力部２１５は、制御部２４０からの各種のデータを他の機器に送信する入出力インタフェースとして構成される。通知情報処理部２４３は、取得した通知情報を映像処理部２２２に出力する代わりに他の機器に送信する。他の機器は、視覚情報を表示する表示部と操作入力を受け付ける操作部とを備える情報機器であればよい。表示部であるディスプレイパネルと操作部であるタッチセンサとして一体化されたタッチパネルが用いされてもよい。他の機器は、例えば、携帯電話機（いわゆるスマートフォンを含む）、タブレット端末装置、パーソナルコンピュータ、などの情報機器であってもよい。
【００９０】
以上に説明したように、本実施形態に係る受信装置２０において、付随情報処理部２４２は、アプリケーション制御情報に基づいて所定のアプリケーションが指示する処理の実行を制御するアプリケーション制御部２４４を備える。当該アプリケーションは、受信装置２０または受信装置２０に接続された他の機器のコンピュータに、輝度情報を通信で取得させ、通知情報処理部２４３に放送されるＨＤＲ映像の明滅度が所定の明滅度よりも高い明滅部分の存在を示す通知情報を出力させる。
この構成により、アプリケーションが指示する処理により通信で取得される輝度情報に基づいて、明滅が著しい明滅部分の存在を放送される高ダイナミックレンジ映像を視聴する前にユーザに告知または警告することができる。そのため、ユーザには、放送事業者もしくはコンテンツ提供者から通信を介して提供される輝度情報に基づいて、映像の視聴をやめるか、操作により映像の輝度範囲を縮小することが促される。また、アプリケーションが指示する処理として、映像処理部２２２が放送されるＨＤＲ映像の輝度をより狭い輝度範囲、例えば、ＳＤＲ映像の輝度範囲内に調整する処理を含みうる。そのため、ユーザは、映像に明滅区間が含まれることを認識したうえで、操作を行わずに明滅度が低減した映像の視聴を継続することができる。また、他の機器に輝度情報を取得させ、通知情報を表示させるにより受信装置２０の機能の複雑化を回避し、放送における付加サービスとしてユーザに認識させることができる。
【００９１】
以上、この発明の実施形態について図面を参照して詳述してきたが、具体的な構成は上述の実施形態に限られるものではなく、この発明の要旨を逸脱しない範囲の設計等も含まれる。上述の実施形態において説明した各構成は、任意に組み合わせることができる。
【００９２】
例えば、上述した実施形態では、放送システム１がメディアトランスポート方式としてＭＭＴ方式を用いる例について説明したが、これには限られない。放送システム１は、例えば、ＭＰＥＧ−２  ＴＳ方式やＲＴＰ（Ｒｅａｌ−ｔｉｍｅ  Ｔｒａｎｓｐｏｒｔ  Ｐｒｏｔｏｃｏｌ）方式などが用いられてもよい。また、通知情報処理部２４３は、通知情報として通知画面に代えてもしくは通知画面とともに通知音声を拡声部２３に再生させてもよい。その場合、通知情報処理部２４３は、上述したメッセージが発話された通知音声を示す通知音声データを音声処理部２３２に出力する。音声処理部２３２は、通知情報処理部２４３から入力される通知音声データが示す通知音声を、音声復号部２３１から入力される音声データが示す音声とミキシングする。
【００９３】
なお、上述した発明は、次の態様でも実施することができる。
（１）放送される標準よりも広範囲の輝度を有する高ダイナミックレンジ映像の明滅に関する輝度情報を、前記高ダイナミックレンジ映像に付随した付随情報に基づいて取得する付随情報処理部と、前記輝度情報に基づいて、前記高ダイナミックレンジ映像に所定の明滅度よりも明滅度が著しい明滅部分が含まれると判定するとき、前記明滅部分の存在を示す通知情報を出力する通知情報処理部と、を備える受信装置。
【００９４】
（２）前記輝度情報は、前記高ダイナミックレンジ映像において所定の単位時間当たりの前記輝度の代表値がフレーム間で所定量以上変化した回数と、前記単位時間当たりの前記輝度の代表値のフレーム間の差分との少なくとも一方を含み、前記通知情報処理部は、前記回数が所定の回数よりも大きい、または前記差分が所定の差分よりも大きいとき前記明滅部分が含まれると判定する（１）の受信装置。
【００９５】
（３）前記輝度情報は、前記高ダイナミックレンジ映像における前記輝度の代表値を含み、前記通知情報処理部は、前記代表値が所定の代表値よりも大きいとき、前記明滅部分が含まれると判定する（１）の受信装置。
【００９６】
（４）前記通知情報処理部が前記高ダイナミックレンジ映像に前記明滅部分が含まれると判定するとき、前記高ダイナミックレンジ映像の輝度を前記標準の輝度範囲内に調整する映像処理部を備える（１）から（３）のいずれかの受信装置。
【００９７】
（５）前記付随情報処理部は、アプリケーション制御情報に基づいて所定のアプリケーションプログラムが指示する処理の実行を制御するアプリケーション制御部を備え、前記アプリケーションプログラムは、前記受信装置または前記受信装置に接続された他の機器のコンピュータに前記輝度情報を通信で取得し、前記通知情報処理部に前記通知情報を出力させる（１）から（４）のいずれかの受信装置。
【００９８】
（６）送信装置と受信装置を備える放送システムであって、前記送信装置は、標準よりも広範囲の輝度を有する高ダイナミックレンジ映像と前記高ダイナミックレンジ映像に付随した付随情報とを放送で送信し、前記受信装置は、前記高ダイナミックレンジ映像の明滅に関する輝度情報を、前記付随情報に基づいて取得する付随情報処理部と、前記輝度情報に基づいて、前記高ダイナミックレンジ映像に所定の明滅度よりも明滅度が著しい明滅部分が含まれると判定するとき、前記明滅部分の存在を示す通知情報を出力する通知情報処理部と、を備える放送システム。
【００９９】
（７）前記輝度情報を通信で送信する第２の送信装置を備え、前記送信装置はアプリケーション制御情報を含む付随情報を送信し、前記付随情報処理部は、前記アプリケーション制御情報に基づいて所定のアプリケーションプログラムが指示する処理の実行を制御するアプリケーション制御部を備え、前記アプリケーションプログラムは、前記受信装置または前記受信装置に接続された他の機器のコンピュータに前記輝度情報を通信で取得し、前記通知情報処理部に前記通知情報を出力させる（６）の放送システム。
【０１００】
（８）標準よりも広範囲の輝度を有する高ダイナミックレンジ映像を取得する映像取得部と、前記高ダイナミックレンジ映像に所定の明滅度よりも明滅度が著しい明滅部分に関する輝度情報を含む付随情報を取得する付随情報取得部と、前記高ダイナミックレンジ映像と前記付随情報とを多重化した放送信号を送信する送信部と、を備える送信装置。
【０１０１】
（９）受信装置のコンピュータに放送される標準よりも広範囲の輝度を有する高ダイナミックレンジ映像の明滅に関する輝度情報を、前記高ダイナミックレンジ映像に付随した付随情報に基づいて取得する付随情報処理ステップと、前記輝度情報に基づいて、前記高ダイナミックレンジ映像に所定の明滅度よりも明滅度が著しい明滅部分が含まれると判定するとき、前記明滅部分の存在を示す通知情報を出力する通知情報処理ステップと、を実行させるためのプログラム。
【０１０２】
また、上述の送信装置１０、受信装置２０、サーバ装置３０および他の機器の機能を実現するためのプログラムをコンピュータ読み取り可能な記録媒体に記録して、この記録媒体に記録されたプログラムをコンピュータシステムに読み込ませ、実行することにより送信装置１０、受信装置２０、サーバ装置３０および他の機器を実現してもよい。当該プログラムは、第２実施形態において説明したアプリケーションプログラムとは別個のプログラムであるが、その一部の機能が当該アプリケーションプログラムに基づいて実現されてもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。
【０１０３】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。
【０１０４】
なお、プログラムを複数に分割し、それぞれ異なるタイミングでダウンロードした後に端末装置で一体化する構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムに既に記録されているプログラムとの組み合わせで実現できるもの、いわゆる差分ファイル（差分プログラム）であってもよい。
【０１０５】
１…放送システム、１０…送信装置、１１０…付随情報取得部、１２０…映像符号化部、１３０…音声符号化部、１４０…多重化部、１５０…誤り訂正符号化部、１６０…変調部、１７０…送信部、２０…受信装置、２２…表示部、２３…拡声部、２１０…放送受信部、２１１…復号部、２１２…誤り訂正部、２１３…分離部、２１５…入力部、２２１…映像復号部、２２２…映像処理部、２２３…ディスプレイ制御部、２３１…音声復号部、２３２…音声処理部、２３３…アンプ、２４０…制御部、２４１…選局部、２４２…付随情報処理部、２４３…通知情報処理部、２４４…アプリケーション制御部、２４５…アプリケーション実行部、２５０…記憶部、２６０…通信部、ＢＴ…放送伝送路、ＢＳ…放送衛星、ＣＴ…通信伝送路、ＲＣ…制御装置
【図１】
2018042269.tif 000003
【図２】
2018042269.tif 000004
【図３】
2018042269.tif 000005
【図４】
2018042269.tif 000006
【図５】
2018042269.tif 000007
【図６】
2018042269.tif 000008
【図７】
2018042269.tif 000009
【図８】
2018042269.tif 000010
【図９】
2018042269.tif 000011
【図１０】
2018042269.tif 000012
【図１１】
2018042269.tif 000013
【図１２】
2018042269.tif 000014
【図１３】
2018042269.tif 000015
【図１４】
2018042269.tif 000016
【図１５】
2018042269.tif 000017
【図１６】
2018042269.tif 000018
【図１７】
2018042269.tif 000019
【図１８】
2018042269.tif 000020